(57)【要約】【課題】バースデーカード、クリスマスカード等の各種カードやレターヘッド、封筒、ノート等のあらゆる紙類に任意の名前、イニシャル、ニックネームをエンボス加工可能としたエンボス加工用プレートを提供すること。【解決手段】プレート本体（２）と、該プレート本体（２）の任意の箇所を任意の形状に切り欠いて形成した押圧部（３）と、を具備するエンボス加工用プレート（１）において、前記押圧部（３）の形状を、少なくとも、ひらがな、カタカナ等による任意の名前、イニシャル、ニックネームの形状としたことを特徴としており、プレート本体（２）を裏返すとともに、その上に厚紙等を重ね合わせた状態で、ペン等により押圧部（３）の輪郭を押圧することで、前記厚紙に任意の名前、イニシャル、ニックネーム等の形状のエンボス加工を施すことが可能となる。【選択図】図１
0003105746.tif 000002
【実用新案登録請求の範囲】
【請求項１】
プレート本体（２）と、
該プレート本体（２）の任意の箇所を任意の形状に切り欠いて形成した押圧部（３）と、を具備するエンボス加工用プレート（１）において、
前記押圧部（３）の形状を任意の名前、イニシャル、ニックネームの形状としたことを特徴とするエンボス加工用プレート。
【請求項２】
前記押圧部（３）の形状を、少なくともひらがな、カタカナのいずれかによりなる名前、イニシャル、ニックネームの形状としたことを特徴とするエンボス加工用プレート。
【考案の詳細な説明】
【技術分野】
【０００１】
本考案はエンボス加工用のプレートに係り、より詳しくは、任意の名前、イニシャル、ニックネーム等の形状によるエンボス加工を可能としたエンボス加工用プレートに関する。
【背景技術】
【０００２】
従来から、いわゆるホビーの分野においては、市販されているものではない自分独自のバースデーカード、クリスマスカード、その他のカードを作ることが行われており、この場合、動物、花等の好みの形状とした紙をカードに貼り付けることのほかに、エンボス加工用プレートを用いて、バースデーカード、クリスマスカード、その他のカード等にワンポイントのデザインを施すことが行われており、あるいは、カード自体にエンボス加工を施すことも行われている。
【０００３】
ここで、このエンボス加工用プレートについて説明すると、図３はこの従来のエンボス加工用プレートを説明するための図であり、図において３１がエンボス加工用プレートである。
【０００４】
そして、このエンボス加工用プレート３１は、真鍮等の比較的硬い素材により形成されたプレート本体３２と、このプレート本体の任意の箇所を任意の形状に切り欠くことにより形成した押圧部３３とを備えており、これを使用するときは、プレート本体３２上に比較的厚めの紙を重ね合わせ、その状態で、金属等の硬い素材で形成するとともに先端を丸めた芯を有するエンボス加工用ペンを用いて、芯によって、前記押圧部３３の輪郭に沿って紙を押圧していく。
【０００５】
そうすると、前記紙の裏面には、前記押圧部の外形状に沿ったエンボス加工ができるため、このエンボス加工された部分を上にするとともに、適宜このエンボス加工された部分に色づけをして、この紙をバースデーカード、クリスマスカード等に貼り付けることにより、バースデーカード、クリスマスカード等にワンポイントのデザインを施すことが可能となる。または、前記紙の代わりにバースデーカード等を用いることにより、カード自体にこのような加工を施すことも可能となる。
【考案の開示】
【考案が解決しようとする課題】
【０００６】
ところで、一般的にバースデーカードやクリスマスカード、その他の贈り物等に添えるカードでは、相手の名前、イニシャル、ニックネームや送り主の名前、イニシャル、ニックネーム等を書き込むことが行われるが、従来のエンボス加工用プレートはカード等にワンポイントのデザイン等を施すことを目的としていたために、各種のカードに名前等を書き込む場合は、主に手書きにより行われていた。
【０００７】
そのために、例えばバースデーカード等を作るときなどは、任意の模様の飾り等をカードに貼付することはできるが、相手先の名前等は手書きにならざるを得ず、かかる場合においては、カード自体にワンポイントのデザイン等を施した場合でも、カード全体のバランスが崩れてしまい、カードのおもしろみも半減してしまうことがあった。
【０００８】
そこで、本考案は、バースデーカード、クリスマスカード等の各種カードにワンポイント等のエンボス加工を施す際に、デザインとともに、相手方、送り主等の名前、イニシャル、ニックネームをもエンボス加工により描くことを可能とするエンボス加工用プレートを提供することを課題としている。
【課題を解決するための手段】
【０００９】
本考案のエンボス加工用プレートは、プレート本体と、該プレート本体の任意の箇所を任意の形状に切り欠いて形成した押圧部と、を具備するエンボス加工用プレートにおいて、前記押圧部の形状を任意の名前、イニシャル、ニックネームの形状としたことを特徴としている。
【考案の効果】
【００１０】
本考案のエンボス加工用プレートでは、任意の名前、イニシャル、ニックネームの形状とした押圧部を有しており、プレートに紙等を重ね合わせた状態で紙の上から押圧部の輪郭を押圧することで、名前、イニシャル、ニックネームの形状のエンボス加工を行うことが可能となる。
【００１１】
従って、本考案のエンボス加工用プレートを用いることにより、相手先、送り主等の名前等を手書きすることなくカード等に表示することができ、カード等をよりデザイン化することが可能であり、これにより、カード等の全体を豪華、上品にしてカード等のグレードアップを図ることも可能になる。
【考案を実施するための最良の形態】
【００１２】
本考案のエンボス加工用プレートでは、真鍮等の比較的硬い素材のプレート本体を備えており、このプレート本体は、プレート本体を任意の名前、イニシャル、ニックネーム等の形状で切り欠いて形成した押圧部を具備している。
【００１３】
ここで、前記任意の名前、イニシャル、ニックネーム等を、少なくともひらがな、カタカナのいずれかによりなる名前、イニシャル、ニックネームの形状にするとよい。
【実施例１】
【００１４】
本考案のエンボス加工用プレートの実施例について図面を参照して説明すると、図１は本実施例のエンボス加工用プレートを示す斜視図であり、図において１が本実施例のエンボス加工用プレートである。
【００１５】
そして、本実施例のエンボス加工用プレートでは、プレート本体２を備えており、即ち、図において２がプレート本体であり、本実施例においてこのプレート本体２は、真鍮製の板状体としている。但し、必ずしも真鍮製にする必要はなく、その他の金属、厚紙等でプレート本体２を形成してもよい。
【００１６】
次に、前記プレート本体２には任意の名前、イニシャル、ニックネームの形状にした切り欠きを形成しており、この切り欠いた部分を押圧部３としている。即ち、本実施例においては、「アキ」というニックネームの切り欠きを形成して押圧部３を形成している。
【００１７】
そのために、本実施例のエンボス加工用プレート１では、これを用いて紙等にエンボス加工を施した場合には、「アキ」という形状としたエンボス加工の紙を得ることが可能である。
【００１８】
次に、このように構成される本実施例のエンボス加工用プレートの使用方法について説明すると、図２において、本実施例のエンボス加工用プレート１を裏返すとともに、その上に厚紙等４を重ね合わせる。
【００１９】
そして、この状態で、先端を丸めた金属等の固めの芯５０１を有するエンボス加工用ペン５を用いて、芯５０１の先端によって、前記厚紙４の上から、前記押圧部３の内周側をなぞっていく。
【００２０】
そうすると、厚紙４の裏面には、前記押圧部３の形状とほぼ同様のエンボス加工を施すことができ、その後は、適宜このエンボス加工した部分に色付け等をした後に、エンボス加工の部分を各種カード等に貼り付ける。あるいは、各種カード自体に前記と同様の方法によって名前等をエンボス加工してもよい。
【００２１】
このように、本実施例のエンボス加工用プレート１では、任意の名前、イニシャル、ニックネームの形状の押圧部３を有しており、従って、これを用いることにより、これらの名前、イニシャル、ニックネーム等のエンボス加工を施した紙を得ることができるために、バースデーカード、クリスマスカード、その他各種カードを作成する際に、手書きによらずに、相手先や送り主等の名前等をカードに描くことが可能となり、これにより、各種カードの全体を豪華、上品にしてそのグレードアップを図ることが可能となる。
【００２２】
なお、前述した実施例では、カタカナによる名前等の形状で押圧部３を形成した場合について説明したが、必ずしもカタカナによる名前等に限られるものではなく、そのほか、ひらがな、あるいはアルファベット等による名前、イニシャル、ニックネームの形状で押圧部３を形成してもよい。
【産業上の利用可能性】
【００２３】
本考案のエンボス加工用プレートでは、任意の名前、イニシャル、ニックネーム等の形状のエンボス加工を施すことができるために、ホビーの分野のみならず、従来は氏名等を手書き等により記載しなければならなかった各種カードにも適用可能であり、また、そのほか、レターヘッド、封筒、ノート等のあらゆる紙類に適用可能である。
【図面の簡単な説明】
【００２４】
【図１】本考案のエンボス加工用プレートの実施例を示す斜視図である。
【図２】本考案のエンボス加工用プレート実施例の使用方法を説明するための図である。
【図３】従来のエンボス加工用プレートを説明するための図である。
【符号の説明】
【００２５】
１    エンボス加工用プレート
２    プレート本体
３    押圧部
４    厚紙
５    エンボス加工用ペン
【図１】
0003105746.tif 000003
【図２】
0003105746.tif 000004
【図３】
0003105746.tif 000005